(57)【要約】  簡易なユーザ操作に基づいて、携帯端末を通常の動作モードから特定のエリアに応じた動作モードに切り替え、ユーザがエリアを出たことを検出して通常の動作モードに戻す通信端末を提供する。近距離無線通信用の通信タグと近距離無線通信を行う近距離無線通信手段（１１１）と、近距離無線通信よりも通信距離の長い中距離無線通信を行う中距離無線通信手段（１３）と、近距離無線通信手段（１１１）が通信タグ（１２）と通信を確立したときに、動作モードを通常動作モードから特定動作モードに変更し、特定動作モードに応じた特定のアプリケーションを起動させ、起動させた特定のアプリケーションを用いて中距離無線通信手段（１３）に所定の通信装置との中距離無線通信を行わせる動作モード切替手段（１１３）とを備える。中距離無線通信手段が所定の通信装置との通信ができなくなったときに、特定のアプリケーションを終了させて、通常動作モードに移行させる。
2014002325.tif 000002
【特許請求の範囲】
【請求項１】
近距離無線通信用の通信タグと近距離無線通信を行う近距離無線通信手段と、
前記近距離無線通信よりも通信距離の長い中距離無線通信を行う中距離無線通信手段と、
前記近距離無線通信手段が前記通信タグと通信を確立したときに、動作モードを通常動作モードから特定動作モードに変更し、前記特定動作モードに応じた特定のアプリケーションを起動させ、起動させた前記特定のアプリケーションを用いて前記中距離無線通信手段に所定の通信装置との前記中距離無線通信を行わせる動作モード切替手段とを備え、
前記動作モード切替手段は、前記中距離無線通信手段が前記所定の通信装置との通信ができなくなったときに、前記特定のアプリケーションを終了させて、前記通常動作モードに移行させる、携帯端末。
【請求項２】
前記動作モード切替手段は、前記特定動作モードに切り替えた際に、前記中距離無線通信手段が通信時に用いる電波強度を、所定の前記通信装置に応じた強度に変更させる、請求項１に記載の携帯端末。
【請求項３】
前記携帯端末には、前記通信タグの識別情報と、前記中距離無線通信手段が前記所定の通信装置と通信するための通信設定情報と、起動する前記特定のアプリケーションを指定する起動アプリケーション情報が対応付けて記録されており、
前記特定動作モードに切り替えた際に、前記動作モード切替手段は、前記近距離無線通信手段により前記通信タグから取得した識別情報に対応付けられた前記通信設定情報を用いて前記中距離無線通信を行うと共に、前記通信タグの識別情報に対応付けられた前記特定のアプリケーションを起動する、請求項１又は２に記載の携帯端末。
【請求項４】
異なる前記通信タグ毎には、それぞれ特定のアプリケーションが対応付けて設定されており、
前記特定動作モードに切り替えた際に、前記動作モード切替手段は、前記近距離無線通信手段が通信を行った前記通信タグに対応付けられた前記特定のアプリケーションを起動する請求項１乃至３のうちいずれか１項に記載の携帯端末。
【請求項５】
動作モード切替手段は、前記所定の通信装置及び前記通信タグのいずれか一方の識別情報と、前記特定動作モードが対応付けられた参照テーブルを参照することにより前記特定動作モードに設定する、請求項１乃至４のうちいずれか１項に記載の携帯端末。
【請求項６】
前記参照テーブルは、携帯端末毎に設定される、請求項５に記載の携帯端末。
【請求項７】
前記動作モード切替手段は、前記通常動作モードから前記特定動作モードに変更する際に、前記携帯端末の表示手段に表示するアプリケーションの種類、配置、表示方法のうち少なくとも１つを変更する、請求項１乃至６のうちいずれか１項に記載の携帯端末。
【請求項８】
近距離無線通信用の通信タグと、
所定の通信装置と中距離無線通信を行う中距離無線通信装置と、
請求項1乃至７のうちいずれか１項に記載の携帯端末と、を備え、
前記通信タグは、前記中距離無線通信装置の通信エリアに対応付けられて設けられている、無線通信システム。
【請求項９】
前記通信タグは、前記中距離無線通信装置の通信エリア内に配置され、又は、当該通信エリアの外側であって前記通信エリアから所定の距離内に配置されることにより、前記中距離無線通信装置の通信エリアに対応付けられている、請求項８に記載の無線通信システム。
【請求項１０】
１つの前記通信エリアに対応付けられた複数の前記通信タグを備え、
前記携帯端末は、前記近距離無線通信手段が通信を行った前記通信タグに対応付けられた前記特定動作モードに、前記動作モードを設定する請求項９に記載の通信システム。
【請求項１１】
第１中距離無線通信装置の第１通信エリアに、他の第２中距離無線通信装置の第２通信エリアが含まれ、
前記第１通信エリア及び前記第２通信エリアのそれぞれに対応する第１通信タグ及び第２無線タグを備え、
前記動作モード切替手段は、
前記携帯端末が前記第１通信タグと通信を確立したときに、前記携帯端末を第１特定動作モードに設定し、
前記携帯端末が前記第２通信タグと通信を確立したときに、前記携帯端末を前記第１特定動作モードに設定すると共に、前記第１特定動作モードとは異なる第２特定動作モードに設定する請求項８乃至１０のうちいずれか１項に記載の無線通信システム。
【請求項１２】
前記通信タグには、前記中距離無線通信手段が所定の無線機器と通信するための通信設定情報と、起動する前記特定のアプリケーションを指定する起動アプリケーション情報が記録されている請求項８乃至１１のうちいずれか１項に記載の無線通信システム。
【請求項１３】
近距離無線通信用の通信タグと近距離無線通信を行い、
前記通信タグと通信を確立したときに、動作モードを通常動作モードから特定動作モードに変更し、
前記特定動作モードに応じた特定のアプリケーションを起動させると共に、所定の通信装置と前記近距離無線通信よりも通信距離の長い中距離無線通信を行い、
前記中距離無線通信の所定の前記通信装置との通信ができなくなったときに、前記特定のアプリケーションを終了させて、前記通常動作モードに移行させる、無線通信方法。
【請求項１４】
前記特定動作モードに切り替えた際に、前記中距離無線通信手段が通信時に用いる電波強度を、所定の前記通信装置に応じた強度に変更させる、請求項１３に記載の無線通信方法。
【請求項１５】
前記携帯端末に、前記通信タグの識別情報と、前記中距離無線通信手段が所定の前記通信装置と通信するための通信設定情報と、起動する前記特定のアプリケーションを指定する起動アプリケーション情報が対応付けて記録し、
前記特定動作モードに切り替えた際に、前記通信タグから取得した識別情報に対応付けられた前記通信設定情報を用いて所定の前記通信装置と前記中距離無線通信を行うと共に、前記通信タグの識別情報に対応付けられた前記特定のアプリケーションを起動する、請求項１３又は１４に記載の無線通信方法。
【請求項１６】
異なる前記通信タグ毎に、それぞれ特定のアプリケーションを対応付けて設定し、
前記特定動作モードに切り替えた際に、前記近距離無線通信を行った前記通信タグに対応付けられた前記特定のアプリケーションを起動する請求項１３乃至１５のうちいずれか１項に記載の無線通信方法。
【請求項１７】
前記特定動作モードに切り替えた際に、所定の前記通信装置及び前記通信タグのいずれか一方の識別情報と、前記特定動作モードが対応付けられた参照テーブルを参照することにより前記特定動作モードに設定する、請求項１３乃至１６のうちいずれか１項に記載の無線通信方法。
【請求項１８】
前記参照テーブルを携帯端末毎に設定する、請求項１７に記載の無線通信方法。
【請求項１９】
前記特定動作モードに変更する際に、前記携帯端末の表示手段に表示するアプリケーションの種類、配置、表示方法のうち少なくとも１つを変更させる、請求項１３乃至１８のうちいずれか１項に記載の無線通信方法。
【請求項２０】
近距離無線通信用の通信タグと近距離無線通信を行い、
前記通信タグと通信が確立したときに、動作モードを通常動作モードから特定動作モードに変更し、
前記特定動作モードに応じた特定のアプリケーションを起動させると共に、特定の前記アプリケーションを用いて、所定の前記通信装置と前記近距離無線通信よりも通信距離の長い中距離無線通信を行い、
所定の前記通信装置との通信ができなくなったときに、前記特定のアプリケーションを終了させて、前記通常動作モードに移行させる処理をコンピュータに実行させるためのプログラムを格納した非一時的なコンピュータ可読媒体。
【発明の詳細な説明】
【技術分野】
【０００１】
本発明は、無線通信を行う携帯端末、無線通信システム、無線通信方法及びプログラムを格納した非一時的なコンピュータ可読媒体に関する。
【背景技術】
【０００２】
近年、スマートフォンをはじめとする携帯端末は、実生活のあらゆる場面で利用されている。携帯端末には、生活に必要なあらゆるアプリケーションが一括して保持される。しかしながら、実生活の場面に応じて、ユーザが必要なアプリケーションを選択するためには、必要なアプリケーションを呼びだすためのユーザ操作が必要となる。【０００３】
これに対し、特許文献１には、携帯端末の動作モードを切り替えるためのユーザ操作を簡易化した端末が開示されている。具体的には、特許文献１には、近距離無線通信によって近接する機器を検出する近距離無線手段と、動作モードの切替指示の受け付けに応じて、動作モードを切り替える切替制御手段と、近距離無線通信によって検出した機器情報を記憶する履歴情報格納手段を備えた移動通信端末が開示されている。この装置では、ユーザの動作モードの切替え要求を受け付けると、履歴情報格納手段に格納された情報に基づいて、移動通信端末の動作モードを切り替える。【０００４】
また、特許文献２には、携帯端末装置と複合機がＮＦＣ通信でＢｌｕｅｔｏｏｔｈ（登録商標）通信に必要な通信設定情報を送信し、この通信設定情報を用いて、携帯端末装置が複合機と通信するシステムが開示されている。具体的には、特許文献２には、互いに異なる通信範囲を有する第１の通信手段と第２の通信手段を備える情報処理装置が開示されている。第１の通信手段は、携帯端末装置が第１の通信手段の通信範囲内に存在した場合に、第２の通信手段の通信を確立するための通信設定情報を送信する。第２の通信手段は、第１の通信手段によって受信した通信設定情報に基づいて、携帯端末装置から受信される文章又は画像といった情報の処理を行う。
【先行技術文献】
【特許文献】
【０００５】
【特許文献１】特開２０１０−２４５６３２号公報
【特許文献２】特開２００９−１３５８６５号公報
【発明の概要】
【発明が解決しようとする課題】
【０００６】
しかしながら、特許文献１に開示されたシステムでは、近距離無線通信により自動検出された機器情報等に基づいて携帯端末の動作モードを切り替えるため、ユーザの意図していない動作モードに勝手に移行するおそれがある。【０００７】
また、特許文献２に開示されたシステムでは、複合機等の操作対象に対して、携帯端末から特定の制御命令を送信した後は、当該操作対象から所望の動作が完了すると、シーケンスが終了する。そのため、次の制御命令を行うためには、再びＮＦＣ通信を行い、操作対象を操作するための設定情報を取得しなければならない。【０００８】
本発明は、このような問題点に対してなされたものであり、簡易なユーザ操作に基づいて、携帯端末を通常の動作モードから特定のエリアに応じた動作モードに切り替えると共に、ユーザがエリアを出たことを検出して通常の動作モードに戻すことができる携帯端末、無線通信システム、無線通信方法を提供することを目的とする。
【課題を解決するための手段】
【０００９】
本発明に係る無線通信システムの一態様は、近距離無線通信用の通信タグと近距離無線通信を行う近距離無線通信手段と、前記近距離無線通信よりも通信距離の長い中距離無線通信を行う中距離無線通信手段と、前記近距離無線通信手段が前記通信タグと通信を確立したときに、動作モードを通常動作モードから特定動作モードに変更し、前記特定動作モードに応じた特定のアプリケーションを起動させ、起動させた前記特定のアプリケーションを用いて前記中距離無線通信手段に所定の通信装置との前記中距離無線通信を行わせる動作モード切替手段とを備え、前記動作モード切替手段は、前記中距離無線通信手段が前記所定の通信装置との通信ができなくなったときに、前記特定のアプリケーションを終了させて、前記通常動作モードに移行させることを特徴とする。【００１０】
また、本発明の無線通信方法の一態様は、近距離無線通信用の通信タグと近距離無線通信を行い、前記通信タグと通信を確立したときに、動作モードを通常動作モードから特定動作モードに変更し、前記特定動作モードに応じた特定のアプリケーションを起動させると共に、所定の通信装置と前記近距離無線通信よりも通信距離の長い中距離無線通信を行い、前記中距離無線通信の所定の前記通信装置との通信ができなくなったときに、前記特定のアプリケーションを終了させて、前記通常動作モードに移行させることを特徴とする。
【発明の効果】
【００１１】
本発明によれば、簡易なユーザ操作に基づいて、携帯端末を通常の動作モードから特定のエリアに応じた動作モードに切り替えると共に、ユーザがエリアを出たことを検出して通常の動作モードに戻すことができる。
【図面の簡単な説明】
【００１２】
【図１】本発明の実施の形態１に係る無線通信システムの構成を示す図である。
【図２】本発明の実施の形態１に係る無線通信システムの使用例を示す図である。
【図３】本発明の実施の形態１に係る無線通信システムの携帯端末の構成を示す図である。
【図４】本発明の実施の形態１に係る無線通信システムの参照テーブルを示す図である。
【図５】本発明の実施の形態１に係る無線通信システムの動作を示すシーケンスチャートである。
【図６】図５に続くシーケンスチャートである。
【図７】本発明の実施の形態２に係る無線通信システムの構成を示す図である。
【図８】本発明の実施の形態３に係る無線通信システムの構成を示す図である。
【図９】本発明の応用例１の構成を示す図である。
【図１０】本発明の応用例１の動作モードの切替え例を示す図である。
【図１１】本発明の応用例１の動作モードの切替え例を示す図である。
【図１２】本発明の応用例２の構成を示す図である。
【発明を実施するための形態】
【００１３】
実施の形態１
以下、添付した図面を参照して本発明の実施の形態について説明する。図１は、本発明の実施の形態１に係る無線通信システムの構成を示す図である。この無線通信システム１００は、携帯端末１１、通信タグ１２、及び中距離無線通信装置１３を備えている。
【００１４】
携帯端末１１は、スマートフォン、携帯電話端末、ＰＤＡ（Personal Data Assistance）により構成することができる。通信タグ１２は、携帯端末１１と近距離無線通信を行う。ここで、「近距離無線通信」とは、一般に、ＮＦＣ（Near field communication）と呼ばれ、その通信距離は数ｍｍから１０ｃｍ程度である。
【００１５】
中距離無線通信装置１３は、携帯端末１１と無線通信を行う。ここで、「中距離無線通信」とは、近距離無線通信よりも通信距離が長い通信であるとする。具体的には、その通信距離は、数ｍ程度であり、ＷｉＦｉ（Wireless Fidelity）、Bluetooth(登録商標)、赤外線通信等を用いることができる。なお、以下では、中距離無線通信装置１３を、Ｗｉｆi（Wireless Fidelity）アクセスポイントとして説明を行う。また、図１において、中距離無線通信装置１３の通信エリアを、エリア１４として示す。
【００１６】
無線通信システム１００では、図２に示すように、ユーザが携帯端末１１を通信タグ１２にタッチ（接触、若しくは、ほぼ接触させる）したことをトリガとして、携帯端末１１に所定のエリア１４に入ったことを認識させる。所定のエリア１４に入ったことを認識した携帯端末１１は、動作モードを、通常の動作モードから、エリア１４に応じた特定動作モードに変更する。具体的には、携帯端末１１は、通常の動作モードから特定動作モードに切り替わると、その特定動作モードに応じたアプリケーションを起動する。携帯端末１１は、変更された特定動作モード下で、エリア１４内に設置されている中距離無線通信装置１３と中距離無線通信を行う。また、エリア１４からユーザが出て、携帯端末１１と中距離無線通信装置１３との通信が途絶えると、携帯端末１１はエリア１４から出たと認識し、特定動作モードを終了させ、通常動作モードに移行する。
【００１７】
ここで、「通常動作モード」とは、携帯端末１１に設定されたエリア１４外での動作モードであり、「特定動作モード」とは、エリア１４に特化した特有の動作モードを示すものとする。また、特定動作モードでは、携帯端末１１上で起動するアプリケーションの種類を変更するアプリケーションが起動される。若しくは、特定動作モードでは、携帯端末１１の表示部に表示するアプリケーションの種類や配置を変更するアプリケーションが起動される。また、特定動作モードでは、携帯端末１１の通信方式、電波強度等が通常動作モードのものから変更される。
【００１８】
通信タグ１２は、エリア１４に対応付けられて設置される。具体的には、通信タグ１２は、図１のように、エリア１４の内側に設置されるか、エリア１４に近接してエリア１４の外側に設置されることにより、エリア１４に対応付けられている。エリア１４外に通信タグ１２を設置する場合には、通信タグ１２を、エリア１４若しくはエリア１４に設置された中距離無線通信装置１３から所定の距離に配置すればよい。例えば、ある部屋全体にエリア１４が存在する場合には、エリア１４外の部屋の入口に、通信タグ１２を設置するように構成することができる。
【００１９】
図３は、本発明の実施の形態１に係る無線通信システム１００の携帯端末１１の構成を示す図である。この携帯端末１１は、近距離無線通信部１１１、中距離無線通信部１１２、及び動作モード切替部１１３を有している。なお、近距離無線通信部１１１、中距離無線通信部１１２、及び動作モード切替部１１３は、携帯端末１１の図示しないＣＰＵ（Central Processing Unit）が、所定のプログラムを実行することにより実現される。
【００２０】
近距離無線通信部１１１は、所定のエリア１４に設置された通信タグ１２と近距離無線通信を行う。中距離無線通信部１１２は、中距離無線通信機器１３と中距離無線通信を行う。動作モード切替部１１３は、近距離無線通信部１１０が通信タグ１２と近距離無線通信を行ったことを検出することで、携帯端末１１が、当該エリア１４に入ったことを検出する。動作モード切替部１１３は、通信タグ１２との通信が確立されたことを検出すると、入ったエリア１４に応じたアプリケーションを用いて動作モードを特定動作モードに設定する。具体的には、特定動作モードに応じた特定のアプリケーションを起動する。そして、携帯端末１１は、特定動作モード下で中距離無線通信装置１３と中距離無線通信を行う。
【００２１】
そして、動作モード切替部１１３は、ユーザが中距離無線通信機器１３から離れることにより、無線通信部１１１と中距離無線通信機器１３との通信が不可能な状態になると、特定動作モードを終了させ、通常動作モードに戻す。具体的には、特定アプリケーションを終了し、通常の動作モードのアプリケーションを起動する。なお、動作モード切替部１１３は、無線通信部１１１と中距離無線通信機器１３との通信が不可能な時間が、連続して所定の時間を経過した場合に、特定動作モードを終了させるようにしても良い。
【００２２】
携帯端末１１は、図４に示すような参照テーブルを参照することにより、エリア１４に応じた特定動作モードに切り替える。参照テーブルは、中距離無線通信装置１３のＩＤと通信タグ１２のＩＤの組み合わせに対し、特定動作モードが対応付けられている。なお、中距離無線通信装置１３と通信タグ１２が１対１に対応している場合、すなわち、中距離無線通信装置１３のエリア１４内に通信タグ１２が１つしか設置されていない場合には、通信タグ１２のＩＤ又は中距離無線通信装置１３のＩＤのいずれか一方と、設定する特定動作モードに関する情報を対応付けて参照テーブルを構成してもよい。またエリア１４内に複数の通信タグ１２と中距離無線装置１３とが設置されており、それぞれの通信タグ１２と中距離無線装置１３とが１対１に対応づけられている場合も、いずれか一方と、特定動作モードに関する情報とを対応づけて参照テーブルを構成しても良い。
【００２３】
参照テーブルは、携帯端末１１自身が保持し、直接携帯端末１１が参照テーブルを参照できるように構成することができる。若しくは、中距離無線通信装置１３や、外部のサーバに参照テーブルを保持し、携帯端末１１が、受信した中距離無線通信装置１３のＩＤと通信タグ１２のＩＤを送信することにより、中距離無線通信装置１３や外部のサーバから、動作モードに関する情報を取得するように構成してもよい。また、通信タグ１２が参照テーブルを保持し、携帯端末１１が通信タグ１２との接続を確立すると、通信タグ１２のＩＤと中距離無線装置１３のＩＤと動作モードに関する情報を取得するように構成しても良い。
【００２４】
なお、この参照テーブルの特定動作モードは、ユーザ自身が、通信タグ１２毎に自由に設定することができる。例えば、ユーザは、ある通信タグ１２に対し、表示部に表示させるアプリケーションの種類や配置を任意に登録できる。なお、１つの特定動作モードには、複数の設定情報を定義することができる。具体的には、ある特定動作モードＡに対して、テレビの操作画面を表示するアプリケーションを起動すると共に、映画を配信する外部サーバにアクセスするアプリケーションを表示させる、というように２以上の設定情報を登録することができる。また、特定動作モード毎に設定される通信端末１１の各種設定は、予め外部サーバから携帯端末１１にダウンロードするように構成してもよい。
【００２５】
ここで、通信タグ１２に対応付けられた特定動作モードにおける携帯端末１１の各種設定は、ユーザ毎に自由に設定することができる。具体的には、１つの通信タグ１２に対して、あるユーザは、特定動作モードＡを対応付け、同じ通信タグ１２に対して、他のユーザは、特定動作モードＢを対応付けることができる。
【００２６】
次に、このように構成された通信システムの動作について説明を行う。図５及び図６は、本発明の実施の形態１に係る無線通信システム１００の動作を示すシーケンスチャートである。中距離無線通信装置１３は、定期的に、エリア１４に自己の識別情報（ＩＤ：Identification）を送信している（ステップＳ１）。携帯端末１１は、中距離無線通信装置１３の通信エリアであるエリア１４外に位置するときは、通常動作モードに設定されている（ステップＳ２）。通常動作モードにおいて、携帯端末１１は、近距離無線通信を行うための準備を開始する（ステップＳ３）。
【００２７】
ユーザがエリア１４に入り、携帯端末１１がエリア１４に移動すると、中距離無線通信装置１３から定期的に発行される中距離無線通信装置１３のＩＤが、携帯端末１１の中距離無線通信部１１２で受信される。中距離無線通信装置１３のＩＤを受信したことをトリガとして、携帯端末１１の動作モード切替部１１３は、携帯端末１１が所定のエリア１４に入ったことを検出する。そして、無線通信部１１１は、中距離無線通信装置１３へのアクセスを開始する（ステップＳ４）。なお、携帯端末１１の表示部に、エリア１４に入ったことを示す情報を表示し、ユーザに知らせるように構成してもよい。
【００２８】
ユーザが、通信タグ１２に携帯端末１１をタッチすると、通信タグ１２が起動する（ステップＳ５）。そして、通信タグ１２は、自己のＩＤを近距離無線通信により携帯端末１１に発信する（ステップＳ６）。携帯端末１１の近距離無線通信部１１１は、通信タグ１２からＩＤを受信する（ステップＳ７）。ＩＤを受信した近距離無線通信部１１１は、通信タグ１２と近距離通信を行ったことを示す情報を動作モード切替部１１３に出力する。携帯端末１１の動作モード切替部１１３は、図４に示す参照テーブルを参照し、中距離無線通信装置１３のＩＤと通信タグ１２のＩＤの組み合わせに対応付けられた特定動作モードがあるか検索する（ステップＳ８）。
【００２９】
なお、携帯端末１１と中距離無線通信装置１３との接続を確立させるためには、上記のように中距離無線通信装置１３のＩＤを受信したことをトリガとしなくてもよい。例えば、ユーザが携帯端末１１を通信タグ１２にタッチして、通信タグ１２に割り当てられたＩＤと中距離無線通信装置１３に割り当てられているＩＤとが近距離無線通信により携帯端末１１に送信されれば、携帯端末１１が通信タグ１２のＩＤのみを受信したことをトリガとして、携帯端末１１の中距離無線通信部１１２と中距離無線通信装置１３との接続を確立するように構成しても良い。
【００３０】
そして、ステップＳ８において、中距離無線通信装置１３のＩＤと通信タグ１２のＩＤの組み合わせに対応付けられた特定動作モードがあると（ＹＥＳ）、動作モード切替部１１３は、動作モードを、通常動作モードからエリア１４に応じた特定動作モードに移行する（ステップＳ９）。特定動作モード下において、携帯端末１１は、エリア１４内の中距離無線通信装置１３を利用して、データ通信を行う。一方、ステップＳ８において、中距離無線通信装置１３のＩＤと通信タグ１２のＩＤの組み合わせに対応付けられた特定動作モードがない場合は（ＮＯ）、ステップＳ７に戻る。
【００３１】
なお、図５の例では、中距離無線通信が確立した後に動作モードが通常動作モードから特定動作モードに切り替わるよう構成されているが、通常動作モードから特定動作モードに切り替わった後、中距離無線通信を開始するように構成してもよい。換言すれば、通常動作モードから特定動作モードに切り替わる際に、中距離無線通信を開始するように構成すればよい。そして、携帯端末１１は、特定動作モード下で、中距離無線通信を引き続き行う。
【００３２】
そして、携帯端末１１は、通信を行った中距離無線通信装置１３のエリア１４から携帯端末１１が外れたか否かを判断する（ステップＳ１０）。具体的には、動作モード切替部１１３、中距離無線通信装置１３からのデータ通信が途絶えたか否かを検出することにより、エリア１４から携帯端末１１が外れたか否かを判断する。そして、ステップＳ１０において、動作モード切替部１１３が、携帯端末１１がエリア１４から外れたと判断した場合には（ＹＥＳ）、動作モードを、特定動作モードから通常動作モードに変更する（ステップＳ１１）。
【００３３】
このように、本実施の形態１に係る無線通信システムでは、ユーザが、携帯端末１１を通信タグ１２にタッチするという動作をトリガとして、動作モードを切り替える処理を開始する。そのため、ユーザが意図した場合にのみ、簡易な操作を行うことで動作モードを切り替えることができる。換言すれば、特許文献１のように、ユーザが意図しないまま勝手に動作モードが切り替わることを防止することができる。
【００３４】
また、携帯端末１１は、中距離無線通信装置１３からの通信が途絶えると、携帯端末１１がエリア１４を出たと判断し、特定動作モードから通常動作モードに移行する。これにより、ユーザは、何ら操作をせずに、エリア１４から移動するだけで、動作モードを通常の動作モードに切り替えることができる。なお、携帯端末１１が特定動作モードに設定されている間であっても、ユーザの操作により、強制的に通常動作モードに切り替えられるように構成してもよい。
【００３５】
ここで、特許文献２に開示されたシステムでは、通信タグには複合機等の１つの操作対象のみ対応付けられていたが、本実施の形態１では、１つの通信タグにタッチするだけで、複数の操作対象を操作するための複数のアプリケーションを起動又は表示させることができる。また、特許文献２に開示されたシステムでは、通信タグに対応付けられた操作はユーザに関わらず、特定のものに限られていたが、本実施の形態１では、図４に示すような参照テーブルをユーザ毎に設定することができ、ユーザ毎に通信タグに特定動作モードを設定するこができる。そのため、本実施の形態１では、同じ通信タグを用いて異なるユーザが異なる特定動作モードに設定することができる。これにより、ユーザ毎の特定動作モードの選択の自由度が増す。
【００３６】
実施の形態２．
次に、本発明の実施の形態２に係る無線通信システムについて説明する。図７は、本発明の実施の形態２に係る無線通信システム２００の構成を示す図である。実施の形態２では、中距離無線通信装置１３１の通信可能なエリア１４１内に、２つのエリア１４２、１４３が含まれている。換言すれば、実施の形態２では、エリアが階層的に存在している。エリア１４２は、中距離無線通信装置１３２の通信可能なエリアであり、エリア１４３は、中距離無線通信装置１３３の通信可能なエリアである。エリア１４１、１４２、１４３のそれぞれには、通信タグ１２１、１２２、１２３が設置されている。ユーザは、任意の通信タグ１２１〜１２３に携帯端末１１をタッチすることにより、携帯端末１１の動作モードを、それぞれのエリアに応じた特定動作モードに切り替えることができる。
【００３７】
なお、携帯端末１１、通信タグ１２及び中距離無線通信装置１３の構成は、実施の形態１と略同様であるため、その説明を省略する。また、無線通信システム２００の動作については実施の形態１と略同一であり、具体的には、携帯端末１１の動作モード切替部１１３は、図４に示す参照テーブルを参照し、通信可能な中距離無線通信装置１３１、１３２、１３３のＩＤと、ユーザが携帯端末１１をタッチさせた通信タグ１２１、１２２、１２３のＩＤの組み合わせに対して対応付けられた特定動作モードに、携帯端末１１の動作モードを設定する。そして、携帯端末１１は、特定動作モード応じた特定のアプリケーションを表示・起動させ、特定動作モード下で中距離無線通信装置１３と通信を行う。そして、ユーザが所定のエリアから出ると、携帯端末１１の動作モードを、特定動作モードから通常動作モードに切り替える。
【００３８】
このように、本実施の形態２に係る無線通信システム２００は、例えば、中距離無線通信装置１３１のエリア１４１と、中距離無線通信装置１３２、１３３のエリア１４２、１４３が重複して存在するような場合であっても、ユーザがタッチした通信タグ１２１、１２２、１２３を識別することにより、携帯端末１１の動作モードを、ユーザの所望の特定動作モードに切り替えることができる。
【００３９】
なお、エリア１４１に設定された動作モードと、エリア１４２、１４３に設定された動作モードが異なる場合には、ユーザがエリア１４２、１４３の通信タグ１２２、１２３にタッチした場合に、携帯端末１１をエリア１４１に設定された特定動作モードに設定すると共に、エリア１４２、１４３に設定された特定動作モードに設定する。ここで、エリア１４１に設定された特定動作モードと、エリア１４２、１４３に設定された特定動作モードが併存できない設定条件であれば、エリア１４２、１４３の動作モードを優先して設定するように構成することができる。このように、小さなエリアの特定動作モードに優先的に設定することにより、よりユーザの意図に即した特定動作モードに設定することができる。
【００４０】
実施の形態３．
図８は、本発明の実施の形態３に係る無線通信システム３００の構成を示す図である。実施の形態３では、実施の形態２と同様に、中距離無線通信装置１３の通信可能なエリア１４１の中に、エリア１４２と１４３が含まれている。ただし、エリア１４２、１４３には、通信タグ１２２、１２３のみが設置され、中距離無線通信装置は設けられていない。換言すれば、エリア１４２、１４３は、中距離無線通信装置毎の通信エリアを示すものではない。このように、１つの通信エリア１４１内であっても、通信タグ１２２、１２３を複数設けることにより、ユーザが任意の通信タグ１２２、１２３に携帯端末１１をタッチさせることにより、通信タグ１２１、１２２、１２３に対応付けられた特定動作モードを呼びだすことができる。換言すれば、１つの通信エリア１４内であっても、複数の通信タグ１２１、１２２、１２３により仮想的なエリアを設定することができる。なお、携帯端末１１、通信タグ１２１〜１２３及び中距離無線通信装置１３１の構成や動作については、実施の形態１と略同様であるため、その説明を省略する。
【００４１】
応用例１：
図９は、実施の形態３に係る無線通信システム３００を、自動車内の無線通信システムに適用させた図である。応用例１では、自動車５０内に、１つの中距離無線通信装置１３が配されている。中距離無線通信装置１３の通信可能なエリアを１４として示す。エリア１４内は、通信タグ１２２、１２３によって、自動車５０の前方エリア（運転席側）と後方エリア（後部座席側）に仮想的に分割されている。自動車前方の運転席側には、通信タグ１２２が設置されている。また、自動車後方の後部座席側には、通信タグ１２３が配置されている。
【００４２】
自動車５０に搭乗したユーザは、携帯端末１１を運転席側の通信タグ１２２にタッチさせることにより、携帯端末１１の動作モードを運転席用の動作モードに設定することができる。一方、ユーザは、携帯端末１１を後部座席側の通信タグ１２３にタッチさせることにより、携帯端末１１の動作モードを後部座席用の動作モードに設定することができる。このように、１つの通信エリア１４内であっても、２つの通信タグ１２２、１２３を用いることにより、異なる動作モードに設定することができる。
【００４３】
図１０は、応用例１における具体的な動作モードの切り替え方法を示す図である。応用例１では、動作モードが切り替わると、携帯端末１１の表示部に表示されるアプリケーションの種類、組み合わせ、配置を変更するように構成されている。通常動作モードにおいて、携帯端末１１の表示部には、インターネット、音楽、通話、メール、カメラといったアプリケーションを起動するためのアイコン（画像）が表示されている。なお、このアイコンの組み合わせや配置は、携帯端末１１にデフォルトで設定されているものでもよく、ユーザによって予め設定されたものでもよい。
【００４４】
そして、ユーザが、携帯端末１１を運転席側の通信タグ１２２にタッチした場合には、動作モードが、通信タグ１２２に対応付けられた特定動作モードに移行する。そして、カーナビ（カーナビゲーションシステム）、天気予報、音楽といった運転時に使用する頻度の高いアイコン（画像）を優先的に表示部に表示するアプリケーションが起動する。これにより、携帯端末１１の表示部は、図１０の右上に示すような表示画面に切り替わる。ユーザは、使用したいアプリケーションのアイコンを選択すると、携帯端末１１は、起動されたアプリケーションを使用して中距離無線通信装置１３と通信することが可能になる。具体的には、ユーザがカーナビ等のアプリケーションを選択した場合には、自動車５０に別途設置されたカーナビゲーションシステムのリモコンとして、携帯端末１１を機能させることができる。また、ユーザがカーナビ等のアプリケーションを選択した場合には、携帯端末１１自身が外部サーバと中距離無線通信装置１３と通信を行い、外部サーバから取得した情報を、自動車５０に設置されたモニタに表示するよう構成してもよい。
【００４５】
一方、ユーザが、携帯端末１１を後部座席用の通信タグ１２３にタッチした場合には、通信タグ１２３に対応付けられた、映画、テレビ、タウン情報といった運転者以外の同乗者が使用する頻度の高いアイコンを優先的に表示部に表示するアプリケーションが起動する。これにより、携帯端末１１の表示部は、図１０の右下に示すような表示画面に切り替わる。そして、ユーザが任意のアプリケーションを選択すると、携帯端末１１は選択されたアプリケーションを起動して、当該アプリケーションを使用して中距離無線通信装置１３と通信を行う。このように、１つの自動車５０内であっても、通信タグ１２２、１２３を複数配置することにより、ユーザの意図を反映したタッチという簡単な動作により、携帯端末１１の動作モードを任意の特定動作モードに設定することができる。
【００４６】
なお、図１０の例では、特定動作モードに変更した際に、表示するアプリケーションの種類を変更したが、携帯端末の表示部に表示するアプリケーションの種類、配置、表示方法のうち少なくとも１つを変更させるように構成することができる。ここで、表示方法の変更とは、アイコンの大きさを変更したり、点滅などユーザが認識しすい表示に変更することを含むものとする。
【００４７】
図１１は、応用例１の他の動作モードの切替え方法を示す図である。携帯端末１１は、ユーザが携帯端末１１を自動車５０内の通信タグ１２２、１２３のいずれかにタッチした場合には、携帯端末１１の通信を行う電波強度を、通信相手となる中距離無線通信装置１３に応じた無線強度に設定する。具体的には、通常動作モードにおいて、携帯端末１１は、電波強度１００％で広域通信網（３Ｇ、４Ｇ）の基地局６０と無線通信を行っているとする。そして、ユーザが携帯端末１１を通信タグ１２２、１２３のいずれかにタッチすると、電波強度を５％に変更し、電波強度を変更する。これにより、携帯端末１１の電波強度は、自動車５０内の中距離無線通信装置１３と通信できる程度の電波強度に設定される。
【００４８】
これにより、例えば、３Ｇ、４Ｇといった無線通信網に自動車５０が位置している場合であっても、優先的に、中距離無線通信装置１３を用いて通信させることができる。また、電波強度を抑えることにより、携帯端末１１の省電力化を図ることができる。また、近接して中距離無線通信装置１３を搭載した複数の自動車５０が存在する場合であっても、携帯端末１１の電波強度を調整することにより、意図しない他の自動車５０の中距離無線通信装置１３と通信することを防止することができる。なお、図１１の例では、特定の動作モードに切り替わった際に、電波強度を弱めるように変更しているが、特定動作モードに切り替わる際に、通信を行う中距離無線通信装置１３に応じて、電波強度を強めるよう調整してもよい。
【００４９】
応用例２．
図１２は、実施の形態２に係る無線通信システム２００を住居の無線通信システムに適用した図である。住居には、住居全体に通信可能なエリア１４１を有する中距離無線通信装置１３１が設置されている。このエリア１４１には、リビングとキッチンが含まれている。リビングには、中距離無線通信装置１３２を搭載したテレビが設置されている。この中距離無線通信装置１３２の通信可能なエリアを、１４２として示す。エリア１４２には、通信タグ１２２が設置されている。ユーザは、携帯端末１１をこの通信タグ１２２にタッチすることにより、携帯端末１１をリビング専用の特定動作モードに設定することができる。
【００５０】
具体的には、携帯端末１１が特定動作モードに設定されると、携帯端末１１にテレビやビデオデッキを操作するリモコンに関するアプリケーションを起動させ、表示部にテレビやビデオデッキの操作画面を表示する。また、表示部に、テレビ番組表を外部サーバからダウンロードできるアプリケーションを起動するためのアイコンとして表示する。これにより、携帯端末１１は、ユーザにより選択された操作やアプリケーションを用いて、テレビに搭載された中距離無線通信装置１３２と通信を行い、ユーザの所望の動作を実行するように構成することができる。なお、テレビ番組表を取得するといった処理において、外部サーバにアクセスする必要がある場合には、携帯端末１１を、住居全体の中距離無線通信装置１３１を介して通信を行うようにしてもよい。
【００５１】
一方、キッチンには、中距離無線通信装置１３３を搭載したコンロと、中距離無線通信装置１３４を搭載した電子レンジが設置されている。また、中距離無線通信装置１３３、１３４の通信可能なエリアを１４３として示す。また、携帯端末１１には、中距離無線通信装置１３３、１３４と通信を行うことにより、コンロや電子レンジのリモコンとして機能するアプリケーションが予め搭載されているものとする。
【００５２】
ユーザが、エリア１４３内に入り、通信タグ１２３に携帯端末１１をタッチすると、携帯端末１１の表示部には、コンロや電子レンジの操作画面が表示される。また、携帯端末１１のレシピを検索するアプリケーションを起動する。そして、ユーザが表示画面を確認し、任意のアプリケーションや操作を行うと、携帯端末１１は、起動されたアプリケーションを用いて、中距離無線通信装置１３３、１３４と通信を行う。ユーザは任意のアプリケーションを選択することで、コンロや電子レンジといった機器を任意にリモコン操作することができる。なお、レシピを外部サーバから取得する場合には、住居に設けられた中距離無線通信装置１３１を介して外部サーバと通信させてもよい。
【００５３】
このように、ある通信エリア１４１内に、複数の通信エリア１４２、１４３が存在する場合であっても、複数の通信タグ１２２、１２３を設けることにより、ユーザは、任意の通信タグ１２２、１２３を選択してタッチするだけで、任意の動作モードに設定することができる。また、キッチンの例のように、１つの通信タグ１２３に対して、複数の中距離無線通信装置１３３、１３４と通信する複数のアプリケーションを対応付けることができる。このように、本発明では、通信タグ１２と対応付けられる中距離無線通信装置１３の数を任意の数に設定することができる。同様に、本発明では、中距離無線通信装置１３に対応付けられる通信タグ１２の数を任意の数に設定することができる。
【００５４】
なお、本発明は上記実施の形態に限られたものではなく、趣旨を逸脱しない範囲で適宜変更することが可能である。
【００５５】
例えば、通信タグ１２に、中距離無線通信手段が所定の無線機器と通信するための通信設定情報や、起動する特定のアプリケーションを指定する起動アプリケーション情報を記録し、携帯端末１１が通信タグ１２と近距離通信を行うことにより、このような情報を取得するように構成することができる。
【００５６】
また、図４に示す参照テーブルに、ユーザの識別情報を対応付けて記憶させるように構成することもできる。これにより、１つの携帯端末１１を複数のユーザが使用する場合であっても、ユーザ毎に特定動作モードを設定することができる。なお、この場合には、ユーザにパスワードやユーザ名を入力・選択してもらうなど、ユーザを識別する処理を追加すればよい。
【００５７】
また、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００５８】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５９】
以上、実施の形態を参照して本願発明を説明したが、本願発明は上記によって限定されるものではない。本願発明の構成や詳細には、発明のスコープ内で当業者が理解し得る様々な変更をすることができる。
【００６０】
この出願は、２０１２年６月２６日に出願された日本出願特願２０１２−１４２９１５を基礎とする優先権を主張し、その開示の全てをここに取り込む。
【符号の説明】
【００６１】
１１・・・携帯端末、１２、１２１−１２３・・・通信タグ、１３、１３１−１３４・・・中距離無線通信装置、１４、１４１−１４３・・・エリア、５０・・・自動車、６０・・・基地局、１００、２００、３００・・・無線通信システム、１１１・・・近距離無線通信部、１１２・・・中距離無線通信部、１１３・・・動作モード切替部。
【図１】
2014002325.tif 000003
【図２】
2014002325.tif 000004
【図３】
2014002325.tif 000005
【図４】
2014002325.tif 000006
【図５】
2014002325.tif 000007
【図６】
2014002325.tif 000008
【図７】
2014002325.tif 000009
【図８】
2014002325.tif 000010
【図９】
2014002325.tif 000011
【図１０】
2014002325.tif 000012
【図１１】
2014002325.tif 000013
【図１２】
2014002325.tif 000014
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
近距離無線通信用の通信タグと近距離無線通信を行う近距離無線通信手段と、
前記近距離無線通信よりも通信距離の長い中距離無線通信を行う中距離無線通信手段と、
前記近距離無線通信手段が前記通信タグと通信を確立したときに、動作モードを通常動作モードから特定動作モードに変更し、前記特定動作モードに応じた特定のアプリケーションを起動させ、起動させた前記特定のアプリケーションを用いて前記中距離無線通信手段に所定の通信装置との前記中距離無線通信を行わせる動作モード切替手段とを備え、
前記動作モード切替手段は、前記中距離無線通信手段が前記所定の通信装置との通信ができなくなったときに、前記特定のアプリケーションを終了させて、前記通常動作モードに移行させる、携帯端末。
【請求項２】
前記動作モード切替手段は、前記特定動作モードに切り替えた際に、前記中距離無線通信手段が通信時に用いる電波強度を、所定の前記通信装置に応じた強度に変更させる、請求項１に記載の携帯端末。
【請求項３】
前記携帯端末には、前記通信タグの識別情報と、前記中距離無線通信手段が前記所定の通信装置と通信するための通信設定情報と、起動する前記特定のアプリケーションを指定する起動アプリケーション情報が対応付けて記録されており、
前記特定動作モードに切り替えた際に、前記動作モード切替手段は、前記近距離無線通信手段により前記通信タグから取得した識別情報に対応付けられた前記通信設定情報を用いて前記中距離無線通信を行うと共に、前記通信タグの識別情報に対応付けられた前記特定のアプリケーションを起動する、請求項１又は２に記載の携帯端末。
【請求項４】
異なる前記通信タグ毎には、それぞれ特定のアプリケーションが対応付けて設定されており、
前記特定動作モードに切り替えた際に、前記動作モード切替手段は、前記近距離無線通信手段が通信を行った前記通信タグに対応付けられた前記特定のアプリケーションを起動する請求項１乃至３のうちいずれか１項に記載の携帯端末。
【請求項５】
動作モード切替手段は、前記所定の通信装置及び前記通信タグのいずれか一方の識別情報と、前記特定動作モードが対応付けられた参照テーブルを参照することにより前記特定動作モードに設定する、請求項１乃至４のうちいずれか１項に記載の携帯端末。
【請求項６】
前記参照テーブルは、携帯端末毎に設定される、請求項５に記載の携帯端末。
【請求項７】
前記動作モード切替手段は、前記通常動作モードから前記特定動作モードに変更する際に、前記携帯端末の表示手段に表示するアプリケーションの種類、配置、表示方法のうち少なくとも１つを変更する、請求項１乃至６のうちいずれか１項に記載の携帯端末。
【請求項８】
近距離無線通信用の通信タグと、
所定の通信装置と中距離無線通信を行う中距離無線通信装置と、
請求項1乃至７のうちいずれか１項に記載の携帯端末と、を備え、
前記通信タグは、前記中距離無線通信装置の通信エリアに対応付けられて設けられている、無線通信システム。
【請求項９】
前記通信タグは、前記中距離無線通信装置の通信エリア内に配置され、又は、当該通信エリアの外側であって前記通信エリアから所定の距離内に配置されることにより、前記中距離無線通信装置の通信エリアに対応付けられている、請求項８に記載の無線通信システム。
【請求項１０】
１つの前記通信エリアに対応付けられた複数の前記通信タグを備え、
前記携帯端末は、前記近距離無線通信手段が通信を行った前記通信タグに対応付けられた前記特定動作モードに、前記動作モードを設定する請求項９に記載の通信システム。
【請求項１１】
第１中距離無線通信装置の第１通信エリアに、他の第２中距離無線通信装置の第２通信エリアが含まれ、
前記第１通信エリア及び前記第２通信エリアのそれぞれに対応する第１通信タグ及び第２無線タグを備え、
前記動作モード切替手段は、
前記携帯端末が前記第１通信タグと通信を確立したときに、前記携帯端末を第１特定動作モードに設定し、
前記携帯端末が前記第２通信タグと通信を確立したときに、前記携帯端末を前記第１特定動作モードに設定すると共に、前記第１特定動作モードとは異なる第２特定動作モードに設定する請求項８乃至１０のうちいずれか１項に記載の無線通信システム。
【請求項１２】
前記通信タグには、前記中距離無線通信手段が所定の無線機器と通信するための通信設定情報と、起動する前記特定のアプリケーションを指定する起動アプリケーション情報が記録されている請求項８乃至１１のうちいずれか１項に記載の無線通信システム。
【請求項１３】
近距離無線通信用の通信タグと近距離無線通信を行い、
前記通信タグと通信を確立したときに、動作モードを通常動作モードから特定動作モードに変更し、
前記特定動作モードに応じた特定のアプリケーションを起動させると共に、所定の通信装置と前記近距離無線通信よりも通信距離の長い中距離無線通信を行い、
前記中距離無線通信の所定の前記通信装置との通信ができなくなったときに、前記特定のアプリケーションを終了させて、前記通常動作モードに移行させる、無線通信方法。
【請求項１４】
前記特定動作モードに切り替えた際に、前記中距離無線通信手段が通信時に用いる電波強度を、所定の前記通信装置に応じた強度に変更させる、請求項１３に記載の無線通信方法。
【請求項１５】
前記携帯端末に、前記通信タグの識別情報と、前記中距離無線通信手段が所定の前記通信装置と通信するための通信設定情報と、起動する前記特定のアプリケーションを指定する起動アプリケーション情報が対応付けて記録し、
前記特定動作モードに切り替えた際に、前記通信タグから取得した識別情報に対応付けられた前記通信設定情報を用いて所定の前記通信装置と前記中距離無線通信を行うと共に、前記通信タグの識別情報に対応付けられた前記特定のアプリケーションを起動する、請求項１３又は１４に記載の無線通信方法。
【請求項１６】
異なる前記通信タグ毎に、それぞれ特定のアプリケーションを対応付けて設定し、
前記特定動作モードに切り替えた際に、前記近距離無線通信を行った前記通信タグに対応付けられた前記特定のアプリケーションを起動する請求項１３乃至１５のうちいずれか１項に記載の無線通信方法。
【請求項１７】
前記特定動作モードに切り替えた際に、所定の前記通信装置及び前記通信タグのいずれか一方の識別情報と、前記特定動作モードが対応付けられた参照テーブルを参照することにより前記特定動作モードに設定する、請求項１３乃至１６のうちいずれか１項に記載の無線通信方法。
【請求項１８】
前記参照テーブルを携帯端末毎に設定する、請求項１７に記載の無線通信方法。
【請求項１９】
前記特定動作モードに変更する際に、前記携帯端末の表示手段に表示するアプリケーションの種類、配置、表示方法のうち少なくとも１つを変更させる、請求項１３乃至１８のうちいずれか１項に記載の無線通信方法。
【請求項２０】
近距離無線通信用の通信タグと近距離無線通信を行い、
前記通信タグと通信が確立したときに、動作モードを通常動作モードから特定動作モードに変更し、
前記特定動作モードに応じた特定のアプリケーションを起動させると共に、特定の前記アプリケーションを用いて、所定の前記通信装置と前記近距離無線通信よりも通信距離の長い中距離無線通信を行い、
所定の前記通信装置との通信ができなくなったときに、前記特定のアプリケーションを終了させて、前記通常動作モードに移行させる処理をコンピュータに実行させるためのプログラム。
【国際調査報告】
2014002325.tif 000015
2014002325.tif 000016